(57)【要約】  【課題】  本発明は、前述した問題点を解決するものであり、浴槽内の水を排水する際に、容易に行え、エプロンの取り外しに影響を与えない浴槽体、及び、この浴槽体を備えた浴室ユニットを提供することを目的とする。  【解決手段】  本発明は、浴槽と、この浴槽底部に配置され浴槽内水を排水する排水口とを備え、上記浴槽が、湯舟周囲の上縁面及びこの上縁面より垂下するフランジを有し、この垂下するフランジに上記排水口の排水動作をさせる操作部を配置した浴槽体である。  【選択図】  図８
2007016434.tif 000002
【特許請求の範囲】
【請求項１】
浴槽と、この浴槽底部に配置され浴槽内水を排水する排水口とを備え、上記浴槽が、湯舟周囲の上縁面及びこの上縁面より垂下するフランジを有し、この垂下するフランジに上記排水口の排水動作をさせる操作部を配置した浴槽体。
【請求項２】
請求項１において、水栓と操作部とが、レリースにより接続された浴槽体。
【請求項３】
請求項１又は２において、操作部が、プッシュスイッチである浴槽体。
【請求項４】
請求項１乃至３の何れかに記載される浴槽体を備えた浴室ユニット。
【発明の詳細な説明】
【技術分野】
【０００１】
本発明は、入浴時に使用される浴槽体及びこの浴槽体を備えた浴室ユニットに関する。
【背景技術】
【０００２】
浴槽は、入浴時に使用されるものであり、日常の使用頻度が高いことから、様々な改良がなされてきた。具体的には、浴槽内の水を排水する際に、鎖に繋がれたゴム栓を手で持ち上げ、ゴム栓を排水口から離間させるようにしていたものが、その後、プッシュスイッチを押下することで、容易に排水が行えるようになっている。
【０００３】
図１は、プッシュスイッチにより容易に排水が行える浴槽体を示す平面図及び概略断面図である。浴室ユニット１は、防水パン２の上に、浴槽体３とカウンタ４とを配置してあり、その他の部分を洗い場５として使用している。洗い場５にて発生した排水は、洗い場排水口６より排水され、浴槽体３にて発生した排水は、浴槽排水口７より排水される。
【０００４】
浴槽排水口７は、概略断面図に示すように、レリース８によりプッシュスイッチ９に接続されており、プッシュスイッチ９を押下すると、浴槽排水口７の上面が上昇して口が開口し、浴槽内の水を排水することができる。また、プッシュスイッチ９は、浴槽上縁面１０に配置されていることから、使用者が容易に操作することができる。
【０００５】
図２は、プッシュスイッチを浴槽エプロンに配置した場合の斜視図及び概略断面図を示す。図２に示すプッシュスイッチ９が、浴槽上縁面１０ではなく、エプロン１１に配置されており、水平方向にプッシュスイッチ９を押下することで排水することができる。
【特許文献１】特開２００３−２４７２５２号公報
【発明の開示】
【発明が解決しようとする課題】
【０００６】
しかしながら、図１に示す浴槽体では、プッシュスイッチが浴槽上縁面に配置されているので、図３に示すように、浴槽上縁面１０の上に風呂蓋１２を乗せていると、排水操作を行うことができず、風呂蓋１２を別の場所に移動させる必要がある。
【０００７】
また、プッシュスイッチは、上下方向に移動するので、図４に示すように、プッシュスイッチ９とガイド１３との間に隙間があり、この隙間に湯水が侵入することで水垢等が溜まり、カビ発生の原因となる場合がある。
【０００８】
プッシュスイッチをエプロン設けた場合は、風呂蓋に邪魔されることがなく、垂直面であることから、プッシュスイッチとガイドとの間に水垢も溜まることがないが、図５に示すように、エプロン１１に配置したプッシュスイッチ９と、浴槽体３に配置した浴槽排水口７とがレリース８により接続されており、エプロン１１の取り外しが行いにくい問題がある。エプロン１１は、浴槽体３を載置した防水パン２の清掃を行う場合だけでなく、図示を省略する配管（エプロンと浴槽体の間に通すことが多い）の点検修理の際にも取り外すもので、この取外性は浴槽にとって重要な要素である。
【０００９】
本発明は、前述した問題点を解決するものであり、浴槽内の水を排水する際に、容易に行え、エプロンの取り外しに影響を与えない浴槽体、及び、この浴槽体を備えた浴室ユニットを提供することを目的とする。
【課題を解決するための手段】
【００１０】
（１）本発明は、浴槽と、この浴槽底部に配置され浴槽内水を排水する排水口とを備え、上記浴槽が、湯舟周囲の上縁面及びこの上縁面より垂下するフランジを有し、この垂下するフランジに上記排水口の排水動作をさせる操作部を配置した浴槽体である。
（２）項（１）において、水栓と操作部とが、レリースにより接続された浴槽体である。
（３）項（１）又は（２）において、操作部が、プッシュスイッチである浴槽体である。
（４）項（１）乃至（３）の何れかに記載される浴槽体を備えた浴室ユニットである。
【発明の効果】
【００１１】
本発明の浴槽体によれば、操作部を垂下するフランジに設けているので、浴槽上縁面に浴槽蓋等が配置されていても操作が可能であり、また、水垢等が溜まることがない。更に、エプロンとは独立して設けられており、容易にエプロンの取り外しが行える。
【００１２】
水栓と操作部とがレリースにて接続されたものは、物理的に接続されているので、電気を使用することがなく、浴室内という水場での使用に適している。
【００１３】
操作部がプッシュスイッチであれば、操作を行いやすく、単純な押し込み作業であるため、子供、実年者であっても操作を誤ることがない。
【００１４】
本発明の浴槽体を備えた浴室ユニットは、浴槽体の効果を備えた快適な浴室空間となり、日常的に使用することから、負荷を軽減することができる。
【発明を実施するための最良の形態】
【００１５】
本発明に用いる浴槽は、浴槽底部に浴槽内の水を排水する排水口を備えたものであり、また、湯舟周囲に上縁面と、この上縁面から垂下するフランジを有したものであれば特に制限されるものではない。
また、フランジは、必ずしも垂直に垂れ下がる必要はなく、上縁面から下方に向けて傾斜を有するものであれば良い。
浴槽の材質は、特に制限されるものではなく、金属、木、合成樹脂等様々なものを使用することができるが、耐久性、防錆性の観点より合成樹脂製のものが好ましい。より具体的には、ＳＭＣ成形法により成形されるもの、アクリル樹脂を用いて注型成形されるものなどを、用いることができる。
【００１６】
上縁面の大きさは、特に制限されるものではないが、湯舟と上縁面最外周端との間にエプロンを設置する場合を考え、１０ｍｍ以上の幅を有することが好ましい。
また、フランジの上下方向長さについても、特に制限されるものではなく、浴槽周囲の全てで同じ長さとする必要もない。
【００１７】
本発明に用いる排水口は、湯舟内の水を排水可能なものであれば特に制限されるものではなく、その形状、大きさ等を適宜選択することができる。具体的には、操作部とレリースにより接続され、レリースの押し、引きにより上下に開閉する蓋を備えたものを使用することができる。
【００１８】
本発明の操作部は、使用者の操作により排水口の開閉を行えるものであれば特に制限されるものではなく、電気的に排水口の開閉を行うもの、機械的に排水口の開閉を行うもの等を適宜選択することができるが、水場であることを考えると、機械的に行うものを用いることが好ましい。
また、操作部の操作は、容易に行えるものが好ましく、単純な押し作業で操作可能な、プッシュスイッチを用いることが好ましい。
【００１９】
本発明に用いる浴槽は、上記した水栓等の他に、気泡発生装置、浴槽内洗浄装置等を設置したものであっても良く、給湯装置、風呂釜等も自由に選択することができる。
【００２０】
本発明の浴室ユニットは、上記説明した浴槽体を防水パンに設置したものであれば特に制限がなく、具体的には、防水パン、浴槽体、壁パネル、天井の各部材を組み立てることにより成形できる。防水パンは、複数に分割されているものを使用することもでき、リフォームの際に、本発明の浴槽体を配置することもできる。
【実施例】
【００２１】
以下、図面を用いて本発明の実施例を説明する。
図６は、本発明の１実施例である浴槽体のフランジ部分拡大斜視図である。図６（ａ）に示すように、浴槽体３は、湯舟１４の周囲に浴槽上縁面１０を備え、この浴槽上縁面の縁より、下方に延設されたフランジ１５を備えている。
また、フランジ１５には、操作部であるプッシュスイッチ９を設置する、切欠１６が設けられており、この切欠１６の分部にプッシュスイッチを嵌め込んで設置する。
【００２２】
切欠１６の形状は、図６（ａ）では長方形としてあり、フランジ１５の下端まで全て切り欠いているが、様々な形状を選択することができ、図６（ｂ）ではフランジ１５の下端までは届かない長方形の切欠１６（開口）を設け、図６（ｃ）ではフランジ１５の下端まで全て切り欠く半円形とし、図６（ｄ）ではフランジ１５の下端までは届かない半円形の切欠１６（開口）を設けている。
【００２３】
プッシュスイッチ９は、垂直な壁面であるフランジ１５に設けられており、水平方向に押し込むことで排水口（図示を省略）を開閉するようになっており、押し込まれるスイッチと、このスイッチのガイドとの間には水が溜まらないようにしてある。
【００２４】
図７は、本発明の浴槽体を示す斜視図である。浴槽体３は、プッシュスイッチ９を設けた辺に、エプロン１１を備えており、このエプロン１１により、後述するプッシュスイッチ９と排水口とを接続するレリースを隠蔽している。
また、エプロン１１には、排水に関する器具ばかりでなく、配管についても接続されていないので、エプロン１１自体を自由に取り外すことができる。
【００２５】
図８は、本発明の浴室ユニットの１実施例を示す概略断面図である。浴室ユニット１は、床となる防水パン２を配置し、その片側に浴槽体３を設置して、他方を洗い場５としている。防水パン２の周囲には、壁載置面１７が設けられ、この壁載置面１７の上に壁パネル１８を載置する。
【００２６】
浴槽体３の底面には、浴槽排水口７が設けられ、この浴槽排水口７と、フランジ１５に設けられたプッシュスイッチ９とが、レリース８によって接続される。浴槽排水口７は、プッシュスイッチ９を押し込むことにより、蓋が上方に移動して排水口が開口し、湯舟内の水を排水する。レリース８は、エプロン１１により使用者から隠蔽され、美観を損ねることがない。
【図面の簡単な説明】
【００２７】
【図１】従来例である浴槽体であり、（ａ）は平面図を示し、（ｂ）は概略断面図を示す。
【図２】従来例である浴槽体であり、（ａ）は斜視図を示し、（ｂ）は概略断面図を示す。
【図３】図１に示す浴槽体の実使用例を示す概略断面図である。
【図４】図１に示すプッシュスイッチの拡大断面図である。
【図５】図２に示す浴槽体のエプロン取り外しを示す概略断面図である。
【図６】本発明の１実施例である浴槽体のフランジ部分拡大斜視図であり、（ａ）は長方形の切欠をフランジ下端まで伸ばしたものを示し、（ｂ）は長方形の切欠をフランジ内に留めたものを示し、（ｃ）は半円形の切欠をフランジ下端まで伸ばしたものを示し、（ｄ）は半円形の切欠をフランジ内に留めたものを示す。
【図７】本発明の１実施例である浴槽体の斜視図である。
【図８】本発明の１実施例である浴室ユニットの概略断面図である。
【符号の説明】
【００２８】
１…浴室ユニット、２…防水パン、３…浴槽体、４…カウンタ、５…洗い場、６…洗い場排水口、７…浴槽排水口、８…レリース、９…プッシュスイッチ、１０…浴槽上縁面、１１…エプロン、１２…風呂蓋、１３…ガイド、１４…湯舟、１５…フランジ、１６…切欠、１７…壁載置面、１８…壁パネル。
【図１】
2007016434.tif 000003
【図２】
2007016434.tif 000004
【図３】
2007016434.tif 000005
【図４】
2007016434.tif 000006
【図５】
2007016434.tif 000007
【図６】
2007016434.tif 000008
【図７】
2007016434.tif 000009
【図８】
2007016434.tif 000010